(57)【要約】      （修正有）【課題】台座に対して収納容器を取り付けた場合においても、収納容器の底面を視認することを可能とする。【解決手段】容器本体３１と、容器本体３１の底部３１ａから外側に突出するつば部とを有する収納容器３１を支持するための収納容器用台座１において、平板状の台座基部１１と、台座基部１１の下面において凹状に形成された嵌合凹部１２と、嵌合凹部１２の底部を上下方向に貫通する貫通穴と、嵌合凹部１２の内周壁面から周方向に間隔を空けて突出する複数の係合部１４とを備え、収納容器３の容器本体３１が貫通穴に下側から挿通されたときに、収納容器３のつば部３２が嵌合凹部１２内に嵌合されるとともに、嵌合凹部１２の底部と係合部１４との間につば部が保持されるように構成されていることを特徴とする。【選択図】図１
2013103742.tif 000002
【特許請求の範囲】
【請求項１】
容器本体と、前記容器本体の底部から外側に突出するつば部とを有し、前記容器本体の底部に形成された開口が蓋体により閉塞された収納容器を支持するための収納容器用台座において、
平板状の台座基部と、
前記台座基部の下面において凹状に形成された嵌合凹部と、
前記嵌合凹部の底部を上下方向に貫通する貫通穴と、
前記嵌合凹部の内周壁面から周方向に間隔を空けて突出する複数の係合部とを備え、
前記収納容器の容器本体が前記貫通穴に下側から挿通されたときに、当該収納容器のつば部が前記嵌合凹部内に嵌合されるとともに、当該嵌合凹部の底部と当該係合部との間に当該つば部が保持されるように構成されていること
を特徴とする収納容器用台座。
【請求項２】
前記係合部は、前記嵌合凹部の底部から当該係合部までの間隔が前記つば部の厚さに応じたものとなるように設けられていること
を特徴とする請求項１に記載の収納容器用台座。
【請求項３】
前記係合部は、その下側の内周縁部に下方に向かうにつれて前記嵌合凹部の内周壁面に近づくような下側案内面が形成されていること
を特徴とする請求項１又は２に記載の収納容器用台座。
【請求項４】
前記係合部は、その上側の内周縁部に上方に向かうにつれて前記嵌合凹部の内周壁面に近づくような上側案内面が形成されていること
を特徴とする請求項１〜３の何れか１項に記載の収納容器用台座。
【請求項５】
前記嵌合凹部は、前記収納容器のつば部が当該嵌合凹部内に嵌合されたときに、当該つば部の一部の上面が当該嵌合凹部の底部から露出可能となるように構成されていること
を特徴とする請求項１〜４の何れか１項に記載の収納容器用台座。
【請求項６】
前記嵌合凹部は、当該嵌合凹部の底部から露出する前記収納容器のつば部を上側に押圧する押圧片が設けられていること
を特徴とする請求項５に記載の収納容器用台座。
【請求項７】
前記押圧片は、前記貫通穴の中心位置に対して対称となる位置に二つ設けられていること
を特徴とする請求項６に記載の収納容器用台座。
【請求項８】
前記台座基部、前記嵌合凹部及び前記複数の係合部は、合成樹脂により一体的に成形されていること
を特徴とする請求項１〜７の何れか１項に記載の収納容器用台座。
【請求項９】
請求項１〜８の何れか１項に記載の収納容器用台座と、
前記収納容器用台座により支持された収納容器とを備えること
を特徴とする台座付き収納容器。
【請求項１０】
請求項５〜８の何れか１項に記載の収納容器用台座と、
前記収納容器用台座により支持された収納容器と、
前記嵌合凹部から露出した前記収納容器のつば部の上面と当該嵌合凹部の上面とに亘って貼り付けられた粘着体とを備えること
を特徴とする台座付き収納容器。
【請求項１１】
前記粘着体は、前記収納容器を装飾するための装飾部材の底面に設けられていること
を特徴とする請求項１０に記載の台座付き収納容器。
【発明の詳細な説明】
【技術分野】
【０００１】
本発明は、餅製品等の食品をはじめとした種々のものを収納する収納容器を支持するための収納容器用台座と、これを用いた台座付き収納容器とに関するものである。
【背景技術】
【０００２】
従来より、餅製品等の食品をはじめとした種々のものを収納するものとして、図１７に示すような、鏡餅を模した外形からなる収納容器１０３が提案されている。この収納容器１０３は、鏡餅を模した外形からなる容器本体１３１と、容器本体１３１の底部１３１ａから外側に突出するつば部１３２とを有している。この収納容器１０３は、容器本体１３１の底部１３１ａに内部に餅製品等を収納するための開口１３３が形成されており、その開口１３３がフィルムシート等の蓋体１３４により閉塞されている。
【０００３】
近年においては、需要者の購買意欲の向上、他社製品との差別化を目的として、この収納容器１０３に対して様々な装飾を施す試みがなされている。この例として、特許文献１においては、台座となる台部材上に容器本体を載置させてなる台座付き収納容器が開示されている。この特許文献１の台座付き収納容器では、収納容器のつば部に対して係止される係止部が台部材の上側に設けられており、この係止部をつば部に係止させることによって台部材上から収納容器が外れ難くなるように構成されている。
【先行技術文献】
【特許文献】
【０００４】
【特許文献１】特開２００１−１６９７３７号公報（図３等）
【発明の概要】
【発明が解決しようとする課題】
【０００５】
ところで、上述の収納容器１０３は、その内部に餅製品等の食品を収納し、かつ、店頭等に陳列のうえ販売されるものとしての用途が一般的である。このような用途で収納容器１０３を用いる場合は、食品衛生法、ＪＡＳ法等により、その内部に収納される食品について、原材料名、賞味期限等の種々の事項を表示することが義務付けられている。通常、この食品表示は、上述の収納容器１０３の底面である蓋体１３４の底面に対して直接印字したり、印字したラベルを貼り付けたりすることにより行われている。
【０００６】
しかしながら、上述の特許文献１に開示されている台座を用いた場合、台部材上に収納容器を載置させたときに、台部材の下側から収納容器１０３の底面を視認することが不可能となる。このため、食品表示義務を遵守するうえでは、台部材の底面にも別途印字等する必要が生じてしまい、製造コストの増大を招いてしまう。また、台部材のみに食品表示をすることも考えられる。しかし、この場合、食品表示が印字された台部材から収納容器１０３が取り外れて他の収納容器１０３と混在してしまい、その収納容器１０３を元の台部材に取り付けようとしたときに、実際の賞味期限等が表示された台部材とは異なる台部材に収納容器１０３が取り付けられる恐れがあるという問題点がある。
【０００７】
また、特許文献１に開示されている台座を用いた場合、台部材上に収納容器を載置させたときに、台部材と収納容器との間に異物が混入する恐れがある。このため、この場合は、その異物の有無を確認するため、別途、検品する必要が生じてしまうという問題点もある。
【０００８】
そこで、本発明は、上述した問題点に鑑みて案出されたものであり、その目的とするところは、台座に対して収納容器を取り付けた場合においても、収納容器の底面を視認することを可能とする収納容器用台座と、これを用いた台座付き収納容器を提供することにある。
【課題を解決するための手段】
【０００９】
本発明者は、上述した課題を解決するために、鋭意検討の結果、下記の収納容器用台座及び台座付き収納容器を発明した。
【００１０】
第１発明に係る収納容器用台座は、容器本体と、前記容器本体の底部から外側に突出するつば部とを有し、前記容器本体の底部に形成された開口が蓋体により閉塞された収納容器を支持するための収納容器用台座において、平板状の台座基部と、前記台座基部の下面において凹状に形成された嵌合凹部と、前記嵌合凹部の底部を上下方向に貫通する貫通穴と、前記嵌合凹部の内周壁面から周方向に間隔を空けて突出する複数の係合部とを備え、前記収納容器の容器本体が前記貫通穴に下側から挿通されたときに、当該収納容器のつば部が前記嵌合凹部内に嵌合されるとともに、当該嵌合凹部の底部と当該係合部との間に当該つば部が保持されるように構成されていることを特徴とする。
【００１１】
第２発明に係る収納容器用台座は、第１発明において、前記係合部は、前記嵌合凹部の底部から当該係合部までの間隔が前記つば部の厚さに応じたものとなるように設けられていることを特徴とする。
【００１２】
第３発明に係る収納容器用台座は、第１発明又は第２発明において、前記係合部は、その下側の内周縁部に下方に向かうにつれて前記嵌合凹部の内周壁面に近づくような下側案内面が形成されていることを特徴とする。
【００１３】
第４発明に係る収納容器用台座は、第１発明〜第３発明の何れか一つの発明において、前記係合部は、その上側の内周縁部に上方に向かうにつれて前記嵌合凹部の内周壁面に近づくような上側案内面が形成されていることを特徴とする。
【００１４】
第５発明に係る収納容器用台座は、第１発明〜第４発明の何れか一つの発明において、前記嵌合凹部は、前記収納容器のつば部が当該嵌合凹部内に嵌合されたときに、当該つば部の一部の上面が当該嵌合凹部の底部から露出可能となるように構成されていることを特徴とする。
【００１５】
第６発明に係る収納容器用台座は、第５発明において、前記嵌合凹部は、当該嵌合凹部の底部から露出する前記収納容器のつば部を上側に押圧する押圧片が設けられていることを特徴とする。
【００１６】
第７発明に係る収納容器用台座は、第６発明において、前記押圧片は、前記貫通穴の中心位置に対して対称となる位置に二つ設けられていることを特徴とする。
【００１７】
第８発明に係る収納容器用台座は、第１発明〜第７発明の何れか一つの発明において、前記台座基部、前記嵌合凹部及び前記複数の係合部は、合成樹脂により一体的に成形されていることを特徴とする。
【００１８】
第９発明に係る台座付き収納容器は、第１発明〜第８発明の何れか一つの発明における収納容器用台座と、前記収納容器用台座により支持された収納容器とを備えることを特徴とする。
【００１９】
第１０発明に係る台座付き収納容器は、第５発明〜第８発明の何れか一つの発明における収納容器用台座と、前記収納容器用台座により支持された収納容器と、記嵌合凹部から露出した前記収納容器のつば部の上面と当該嵌合凹部の上面とに亘って貼り付けられた粘着体とを備えることを特徴とする。
【００２０】
第１１発明に係る台座付き収納容器は、第１０発明において、前記粘着体は、前記収納容器を装飾するための装飾部材の底面に設けられていることを特徴とする。
【発明の効果】
【００２１】
第１発明〜第１１発明によれば、台座に対して収納容器を取り付けたとき、収納容器の底面に対して係合部が下側から係合されているのみであり、その大部分が台座の下側に露出した状態のままとなる。このため、台座に対して収納容器を取り付けた場合においても、その収納容器の底面を視認することが可能となる。これにより、食品等を収納するものとして収納容器を用い、その収納容器の底面に食品の品質表示をしている場合においても、台座の底面にその食品表示を別途する必要が生じるのを防止することが可能となる。また、台座に対して収納容器を取り付けるうえで、つば部の下面と係合部との間に異物があっても容易に視認できるうえ、つば部の上面と係合部との間の異物は取り付け作業時に貫通穴から外側に出易くなっている。このことから、台座の収納容器との間での異物混入の恐れを抑えることが可能となる。また、台座に対して収納容器を取り付けるうえで、収納容器の容器本体を貫通穴に挿通させて、収納容器を押圧するといった簡単な手順で取り付け作業を行うことが可能となる。
【００２２】
特に、第３発明によれば、収納容器のつば部の上面をその下側案内面に接触させた状態で収納容器を下側から上側に向けて押圧することによって、嵌合凹部又はつば部のうちの少なくとも一方を弾性変形させつつ嵌合凹部内につば部を嵌合させることが可能となる。これは、収納容器を台座に取り付けるときの作業性の向上を図ることが可能となることを意味している。
【００２３】
また、第４発明によれば、収納容器を下側から上側に受けて押圧して嵌合凹部内につば部を嵌合させるときに、そのつば部の外周端が上側案内面に接触した段階で、弾性変形している嵌合凹部又はつば部の弾性復元力によりつば部を押し上げることが可能となる。これにより、嵌合凹部の底部と係合部との間隔が多少狭くとも、その間に収納容器のつば部を容易に差し込むことが可能となり、収納容器を台座に取り付けるときの更なる作業性の向上を図ることが可能となる。
【００２４】
また、第５発明、第６発明、第１０発明、第１１発明によれば、台座に対して収納容器を取り付けたときに、台座に対する収納容器の回転を防止することが可能となる。台座付き収納容器を店頭等で陳列して販売する場合、複数の台座付き収納容器を並べて販売することになるが、これにより、その複数の台座付き収納容器の台座と収納容器とのそれぞれの向きを揃えることが可能となり、陳列時に整然とした印象を需要者に与えることにより、購入意欲の増進を図ることが可能となる。特に、台座付き収納容器の販売時においては、台座に対して収納容器を取り付けた状態で製品を出荷、運送するのが通常であり、その運送時の振動により台座に対して収納容器が回転し易いが、この台座の適用によって、その問題点を有効に防止することが可能となる。
【００２５】
また、特に、第６発明によれば、収納容器のつば部を嵌合凹部の底部から露出させたときに、その底部の上面の高さとつば部の上面の高さとを近づけることが可能となり、これらに粘着体を貼り付け易くすることが可能となる。
【００２６】
また特に、第７発明によれば、押圧片の押圧力により作用する反力によってつば部が嵌合凹部から抜け出るのを効果的に防止することが可能となる。
【００２７】
また、特に、第１１発明によれば、収納容器の装飾性の向上を図りつつ、台座に対する収納容器の回転を防止することが可能となる。
【図面の簡単な説明】
【００２８】
【図１】（ａ）は第１実施形態に係る収納容器用台座に収納容器を取り付けた状態を示す正面図であり、（ｂ）はその正面断面図である。
【図２】第１実施形態に係る収納容器用台座に収納容器を取り付けた状態を示す背面図である。
【図３】図１（ｂ）のＳ１部を拡大した拡大図である。
【図４】（ａ）は第１実施形態に係る収納容器用台座の正面図であり、（ｂ）はその正面断面図である。
【図５】第１実施形態に係る収納容器用台座の平面図である。
【図６】第１実施形態に係る収納容器用台座の背面図である。
【図７】第１実施形態に係る収納容器用台座に収納容器を取り付ける工程を説明するための拡大図である。
【図８】第２実施形態に係る収納容器用台座に収納容器を取り付けた状態を示す正面断面図である。
【図９】（ａ）は図８のＳ２部を拡大した拡大図であり、（ｂ）は（ａ）から装飾部材と収納容器とを取り外した状態を示す拡大図である。
【図１０】（ａ）は第２実施形態に係る収納容器用台座から収納容器のつば部が露出した状態を示す拡大斜視図であり、（ｂ）は（ａ）から収納容器を取り外した状態を示す拡大斜視図である。
【図１１】第２実施形態に係る収納容器用台座の平面図である。
【図１２】第２実施形態に係る収納容器用台座の背面図である。
【図１３】（ａ）は第２実施形態の第１変形形態に係る収納容器用台座から収納容器のつば部が露出した状態を示す拡大斜視図であり、（ｂ）は（ａ）から収納容器を取り外した状態を示す拡大斜視図である。
【図１４】第３実施形態に係る収納容器用台座の平面図である。
【図１５】第３実施形態に係る収納容器用台座の背面図である。
【図１６】第３実施形態に係る収納容器用台座に収納容器を取り付けた状態を示す正面断面図である。
【図１７】従来の収納容器を示す正面断面図である。
【発明を実施するための形態】
【００２９】
以下、本発明を適用した収納容器用台座及び台座付き収納容器を実施するための形態について、図面を参照しながら詳細に説明する。
【００３０】
収納容器用台座１（以下、台座１という。）は、図１〜図３に示すように、収納容器３を支持するものとして用いられる。以下においては、まず、この台座１が用いられる収納容器３について説明する。
【００３１】
収納容器３は、容器本体３１と、容器本体３１の底部３１ａから外側に突出するつば部３２とを有し、その容器本体３１の底部３１ａに形成された開口３３が蓋体３４により閉塞されている。
【００３２】
収納容器３は、容器本体３１内に開口３３から被収納物５を収納して保存するものとして用いられる。ここでいう被収納物５としては、餅製品をはじめとした食品が挙げられるが、これに限定するものではない。また、ここでいう餅製品とは、図示のように硬化前の餅材料を充填した後に、これをそのまま硬化させたものの他に、丸餅や角餅等の種々の形状をした餅を袋詰めしたものが含まれる。
【００３３】
容器本体３１は、底部３１ａにおいて開口３３が形成されるとともに、頂部３１ｂにおいて閉塞された有底の筒状に形成される。容器本体３１は、第１実施形態において、平面視において略円形状をなす丸餅を複数段重ねた鏡餅を模した外形からなるものとして構成されているが、これに限定するものではない。つば部３２は、第１実施形態において、平面視において略円形状をなすように形成されている。
【００３４】
容器本体３１とつば部３２とは、ポリプロピレン系樹脂、ポリオレフィン系樹脂等の合成樹脂からなるものであり、射出成形やブロー成形等により一体的に成形される。
【００３５】
蓋体３４は、第１実施形態において、つば部３２の底面にヒートシールにより接着されたポリプロピレン系樹脂等の合成樹脂からなるフィルムシートから構成されている。蓋体３４は、容器本体３１の開口３３を閉塞可能であれば、特にその具体的な構成について限定するものではない。
【００３６】
蓋体３４は、第１実施形態において、容器本体３１内に収納される食品としての被収納物５の品質表示するための品質表示用情報３５がその底面に印字されている。品質表示用情報３５は、この他にも、蓋体３４の底面に貼り付けられたラベルに印字されていてもよい。
【００３７】
次に、第１実施形態に係る台座１について説明する。
【００３８】
台座１は、図１〜図６に示すように、平板状の台座基部１１と、台座基部１１の下面１１ａにおいて凹状に形成された嵌合凹部１２と、嵌合凹部１２の底部１２ａを上下方向に貫通する貫通穴１３と、嵌合凹部１２の内周壁面１２ｃから周方向に間隔を空けて突出する複数の係合部１４とを備えている。
【００３９】
台座基部１１は、第１実施形態において、平面視が正方形状をなすように形成されているが、その形状についてはこれに限定されない。台座基部１１は、その周端部において下側に向けて折り曲げられた足部１５が設けられている。
【００４０】
嵌合凹部１２は、後述のように、収納容器３の容器本体３１を貫通穴１３に下側から挿通させたときに、その収納容器３のつば部３２が嵌合可能となる形状に形成されている。嵌合凹部１２は、第１実施形態において、台座基部１１から上側に立ち上がる筒状の周壁部１２ｂと、周壁部１２ｂの上端に設けられた環状の底部１２ａとを備えている。
【００４１】
貫通穴１３は、収納容器３の容器本体３１を台座１の下側から挿通可能となる形状に形成されている。貫通穴１３は、収納容器３の容器本体３１を下側から挿通させたときに、その収納容器３のつば部３２が嵌合凹部１２の底部１２ａに当接可能となる形状に形成されている。これにより、収納容器３が貫通穴１３の下側から上側に抜け出るのが防止される。
【００４２】
係合部１４は、収納容器３の容器本体３１が貫通穴１３に下側から挿通されたときに、その収納容器３のつば部３２に下側から係合される。これによって、嵌合凹部１２の底部１２ａと係合部１４との間に収納容器３のつば部３２が保持されることになる。
【００４３】
係合部１４は、収納容器３のつば部３２に係合されることにより収納容器３を支持するものとして機能する。このことから、係合部１４は、収納容器３を安定して支持できるように、その嵌合凹部１２内での形状、位置、数が適宜調整される。係合部１４は、第１実施形態において、嵌合凹部１２の周壁部１２ｂに対して周方向に長い矩形状の形状に形成されており、周壁部１２ｂの内周壁面１２ｃに等間隔を空けて４箇所設けられている。
【００４４】
係合部１４は、嵌合凹部１２の底部１２ａの下面１２ｄからその係合部１４の上端面１４ａまでの間隔Ｌ１が収納容器３のつば部３２の厚さｔ１に応じたものとなるように設けられている。この厚さｔ１は、例えば、間隔Ｌ１と略同一となるか、間隔Ｌ１よりも若干小さいものとすることが好ましい。これにより、収納容器３のつば部３２を嵌合凹部１２の底部１２ａと係合部１４との間に強固に保持することが可能となる。なお、ここでいうつば部３２の厚さｔ１とは、つば部３２の底面にフィルムシート等からなる蓋体３４が接着されている場合、その蓋体３４の厚さも含められる。
【００４５】
係合部１４は、その下側の内周縁部１４ｂに下方に向かうにつれて嵌合凹部１２の内周壁面１２ｃに近づくような下側案内面１４ｃが形成されている。これにより、図７（ａ）、（ｂ）に示すように、収納容器３のつば部３２の上面３２ｂをその下側案内面１４ｃに接触させた状態で収納容器３を下側から上側に向けて押圧することによって、嵌合凹部１２又はつば部３２のうちの少なくとも一方を弾性変形させつつ嵌合凹部１２内につば部３２を嵌合可能となる。これは、収納容器３を台座１に取り付けるときの作業性の向上を図ることが可能となることを意味している。このとき、嵌合凹部１２は、その外周側に押し広げられるように弾性変形し、つば部３２は、その内周側に押し狭められるように弾性変形することになる。図７（ａ）、（ｂ）の例では、嵌合凹部１２が弾性変形する場合を例示している。
【００４６】
また、係合部１４は、その上側の内周縁部１４ｄに上方に向かうにつれて嵌合凹部１２の内周壁面１２ｃに近づくような上側案内面１４ｅが形成されている。これにより、図７（ａ）、（ｂ）に示すように、収納容器３を下側から上側に受けて押圧して嵌合凹部１２内につば部３２を嵌合させるときに、そのつば部３２の外周端３２ｃが上側案内面１４ｅに接触した段階で、弾性変形している嵌合凹部１２又はつば部３２の弾性復元力によりつば部３２を押し上げることが可能となる。これにより、嵌合凹部１２の底部１２ａと係合部１４との間隔Ｌ１がつば部３２の厚さｔ１に対して多少狭くとも、その嵌合凹部１２の底部１２ａと係合部１４との間に収納容器３のつば部３２を容易に差し込むことが可能となり、収納容器３を台座１に取り付けるときの更なる作業性の向上を図ることが可能となる。
【００４７】
なお、上述の下側案内面１４ｃ、上側案内面１４ｅは、曲面状に形成されているものを例示しているが、平面状のような他の形状に形成されていてもよい。
【００４８】
また、上述の台座基部１１、嵌合凹部１２及び複数の係合部１４は、合成樹脂により一体的に成形されている。この成形方法としては、射出成形、ブロー成形等が挙げられる。
【００４９】
上述の台座１に対して収納容器３を取り付けたとき、収納容器３の底面３ａに対しては、係合部１４が下側から係合されているのみであり、その大部分が台座１の下側に露出した状態のままとなる。このため、上述の第１実施形態によれば、台座１に対して収納容器３を取り付けた場合においても、その収納容器３の底面３ａを視認することが可能となる。これにより、食品等を収納するものとして収納容器３を用い、その収納容器３の底面３ａに食品の品質表示をしている場合においても、台座１の底面にその食品表示を別途する必要が生じるのを防止することが可能となる。また、台座１に対して収納容器３を取り付けるうえで、つば部３２と係合部１４との間に異物があっても容易に視認できるうえ、つば部３２と嵌合凹部１２の底部１２ａとの間の異物は取り付け作業時に貫通穴１３から外側に出易くなっている。このことから、台座１の収納容器３との間での異物混入の恐れを抑えることが可能となる。また、台座１に対して収納容器３を取り付けるうえで、収納容器３の容器本体３１を貫通穴１３に挿通させて、収納容器３を押圧するといった簡単な手順で取り付け作業を行うことが可能となる。
【００５０】
次に、第２実施形態に係る台座１について説明する。なお、上述した構成要素と同一の構成要素については、同一の符号を付すことにより以下での説明を省略する。
【００５１】
第２実施形態に係る台座１の嵌合凹部１２は、図８〜図１０に示すように、収納容器３のつば部３２が嵌合凹部１２内に嵌合されたときに、そのつば部３２の一部の上面３２ｂが露出可能となるように構成されている。第２実施形態においては、台座１に対して収納容器３を取り付けたときに、嵌合凹部１２の底部１２ａが収納容器３のつば部３２の一部の上面３２ｂを覆わないように、その嵌合凹部１２の形状が調整されている。第２実施形態において具体的には、嵌合凹部１２の底部１２ａ及び周壁部１２ｂは、その周方向に亘る範囲の一部がその径方向の外側に突出するように設けられており、嵌合凹部１２の底部１２ａに形成された貫通穴１３は、平面視において略円形状をなすとともに、その周方向に亘る範囲の一部がその径方向の外側に突出するように設けられている。
【００５２】
この他にも、図１３に示すように、嵌合凹部１２の底部１２ａに複数の切れ込み１６を入れて、その複数の切れ込み１６につば部３２の一部を差し込むことによって、つば部３２の一部の上面３２ｂが露出されるようにしてもよい。
【００５３】
このように嵌合凹部１２の底部１２ａから露出させた収納容器３のつば部３２に対しては、図８、図９（ａ）に示すように、そのつば部３２の上面３２ｂと嵌合凹部１２の上面１２ｅとに亘って両面粘着テープ、片面粘着テープ等からなる粘着体３６を貼り付けることが可能となる。これにより、台座１に対して収納容器３を取り付けたときに、台座１に対する収納容器３の回転を防止することが可能となる。台座付き収納容器７を店頭等で陳列して販売する場合、複数の台座付き収納容器７を並べて販売することになるが、これにより、その複数の台座付き収納容器７の台座１と収納容器３とのそれぞれの向きを揃えることが可能となり、陳列時に整然とした印象を需要者に与えることにより、購入意欲の増進を図ることが可能となる。特に、台座付き収納容器７の販売時においては、台座１に対して収納容器３を取り付けた状態で製品を出荷、運送するのが通常であり、その運送時の振動により台座１に対して収納容器３が回転し易いが、この台座１の適用によって、その問題点を有効に防止することが可能となる。
【００５４】
なお、この粘着体３６は、第２実施形態において、収納容器３を装飾するための装飾部材３７の底面３７ａに設けられているものを例示している。この装飾部材３７は、収納容器３の容器本体３１が鏡餅のような縁起物を模したものとして構成されていることから、縁起物として鏡餅と併せて用いられるものを模したものから構成されていることが好ましい。第２実施形態においては、この装飾部材３７が屏風から構成されている場合を例示している。このような装飾部材３７の底面３７ａに粘着体３６を設けることにより、収納容器３の装飾性の向上を図りつつ、台座１に対する収納容器３の回転を防止することが可能となる。
【００５５】
また、第２実施形態における台座１の嵌合凹部１２は、その嵌合凹部１２の底部１２ａから露出する収納容器３のつば部３２を上側に押圧する押圧片１７が設けられている。これにより、収納容器３のつば部３２を嵌合凹部１２の底部１２ａから露出させたときに、その底部１２ａの上面１２ｅの高さとつば部３２の上面３２ｂの高さとを近づけることが可能となり、これらに粘着体３６を貼り付け易くすることが可能となる。また、粘着体３６が貼り付け易くなることから、収納容器３のつば部３２と嵌合凹部１２の底部１２ａとを粘着体３６を介して強固に固定し、台座１に対する収納容器３の回転を有効に防止することが可能となる。
【００５６】
なお、このような押圧片１７がある場合、台座１に対して収納容器３を取り付けるうえでは、押圧片１７の上側に収納容器３のつば部３２を係合させてから、嵌合凹部１２内に収納容器３のつば部３２を嵌合させればよい。また、図１３に示すように、複数の切れ込み１６がある場合、その複数の切れ込み１６間にある嵌合凹部１２の底部１２ａが押圧片１７として機能することになる。
【００５７】
次に、第３実施形態に係る台座１について説明する。
【００５８】
第３実施形態に係る台座１は、図１４〜図１６に示すように、押圧片１７が、貫通穴１３の中心位置１３ａに対して対称となる位置に二つ設けられている。これは、以下の理由による。即ち、例えば、押圧片１７が一つのみ設けられている場合、その押圧片１７によって収納容器３のつば部３２に対して上側に向けて押圧力が作用したときに、つば部３２が嵌合凹部１２の底部１２ａに接触して上側への変位が拘束されることになる。この結果、つば部３２への押圧力の作用位置に対して反対側に位置するつば部３２の端部が下側へ変位するような反力が作用し、嵌合凹部１２内に保持されているつば部３２が嵌合凹部１２から抜け出る恐れが高まることになる。これに対して、上述のように押圧片１７が二つ設けられていれば、貫通穴１３の中心位置１３ａに対して対称となる位置にあるつば部３２の両端部に上側への押圧力が作用することになり、押圧片１７の押圧力により作用する反力によってつば部３２が嵌合凹部１２から抜け出るのを効果的に防止することが可能となる。
【００５９】
なお、嵌合凹部１２の内周壁面１２ｃには、二つの押圧片１７に対して略等角度ずれた位置に二つの係合部１４が設けられている。  
【００６０】
以上、本発明の実施形態について詳細に説明したが、前述した実施形態は、何れも本発明を実施するに当たっての具体化の例を示したものに過ぎず、これらによって本発明の技術的範囲が限定的に解釈されてはならないものである。
【００６１】
例えば、収納容器３は、その装飾性の向上を図る観点から、装飾部材３７に限らず種々の部品が取り付けられていてもよい。
【符号の説明】
【００６２】
１      台座
３      収納容器
３ａ    底面
５      被収納物
７      台座付き収納容器
１１    台座基部
１１ａ  下面
１２    嵌合凹部
１２ａ  底部
１２ｂ  周壁部
１２ｃ  内周壁面
１３    貫通穴
１４    係合部
１４ｂ  内周縁部
１４ｃ  下側案内面
１４ｄ  内周縁部
１４ｅ  上側案内面
１７    押圧片
３１    容器本体
３２    つば部
３３    開口
３４    蓋体
３５    品質表示用情報
３６    粘着体
３７    装飾部材
【図１】
2013103742.tif 000003
【図２】
2013103742.tif 000004
【図３】
2013103742.tif 000005
【図４】
2013103742.tif 000006
【図５】
2013103742.tif 000007
【図６】
2013103742.tif 000008
【図７】
2013103742.tif 000009
【図８】
2013103742.tif 000010
【図９】
2013103742.tif 000011
【図１０】
2013103742.tif 000012
【図１１】
2013103742.tif 000013
【図１２】
2013103742.tif 000014
【図１３】
2013103742.tif 000015
【図１４】
2013103742.tif 000016
【図１５】
2013103742.tif 000017
【図１６】
2013103742.tif 000018
【図１７】
2013103742.tif 000019
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
容器本体と、前記容器本体の底部から外側に突出するつば部とを有し、前記容器本体の底部に形成された開口が蓋体により閉塞された収納容器を支持するための収納容器用台座において、
平板状の台座基部と、
前記台座基部の下面において凹状に形成された嵌合凹部と、
前記嵌合凹部の底部を上下方向に貫通する貫通穴と、
前記嵌合凹部の内周壁面から周方向に間隔を空けて突出する複数の係合部とを備え、
前記収納容器の容器本体が前記貫通穴に下側から挿通されたときに、当該収納容器のつば部が前記嵌合凹部内に嵌合されるとともに、当該嵌合凹部の底部と当該係合部との間に当該つば部が保持されるように構成されていること
を特徴とする収納容器用台座。
【請求項２】
前記係合部は、前記嵌合凹部の底部から当該係合部までの間隔が前記つば部の厚さに応じたものとなるように設けられていること
を特徴とする請求項１に記載の収納容器用台座。
【請求項３】
前記係合部は、その下側の内周縁部に下方に向かうにつれて前記嵌合凹部の内周壁面に近づくような下側案内面が形成されていること
を特徴とする請求項１又は２に記載の収納容器用台座。
【請求項４】
前記係合部は、その上側の内周縁部に上方に向かうにつれて前記嵌合凹部の内周壁面に近づくような上側案内面が形成されていること
を特徴とする請求項１〜３の何れか１項に記載の収納容器用台座。
【請求項５】
前記嵌合凹部は、前記収納容器のつば部が当該嵌合凹部内に嵌合されたときに、当該つば部の一部の上面が当該嵌合凹部の底部から露出可能となるように構成されていること
を特徴とする請求項１〜４の何れか１項に記載の収納容器用台座。
【請求項６】
前記嵌合凹部は、当該嵌合凹部の底部から露出する前記収納容器のつば部を上側に押圧する押圧片が設けられていること
を特徴とする請求項５に記載の収納容器用台座。
【請求項７】
前記押圧片は、前記貫通穴の中心位置に対して対称となる位置に二つ設けられていること
を特徴とする請求項６に記載の収納容器用台座。
【請求項８】
前記台座基部、前記嵌合凹部及び前記複数の係合部は、合成樹脂により一体的に成形されていること
を特徴とする請求項１〜７の何れか１項に記載の収納容器用台座。
【請求項９】
請求項１〜８の何れか１項に記載の収納容器用台座と、
前記収納容器用台座により支持された収納容器とを備えること
を特徴とする台座付き収納容器。
【請求項１０】
請求項５〜７の何れか１項に記載の収納容器用台座と、
前記収納容器用台座により支持された収納容器と、
前記嵌合凹部から露出した前記収納容器のつば部の上面と当該嵌合凹部の上面とに亘って貼り付けられた粘着体とを備えること
を特徴とする台座付き収納容器。
【請求項１１】
前記粘着体は、前記収納容器を装飾するための装飾部材の底面に設けられていること
を特徴とする請求項１０に記載の台座付き収納容器。
【手続補正２】
【補正対象書類名】明細書
【補正対象項目名】００１９
【補正方法】変更
【補正の内容】
【００１９】
第１０発明に係る台座付き収納容器は、第５発明〜第７発明の何れか一つの発明における収納容器用台座と、前記収納容器用台座により支持された収納容器と、前記嵌合凹部から露出した前記収納容器のつば部の上面と当該嵌合凹部の上面とに亘って貼り付けられた粘着体とを備えることを特徴とする。